(57)【要約】【課題】異なる機器に保存された文書を一度の操作で結合することが可能な画像形成システムを提供する。【解決手段】情報処理装置と画像形成装置とを有して構成される画像形成システムであって、情報処理装置は、第１の文書を記憶する第１の記憶手段と、第１の文書と画像形成装置に記憶された複数の第２の文書のうちの１つの文書とを結合する指示の入力を受ける指示入力手段と、指示入力手段により指示の入力を受けたときに、記憶手段に記憶された第１の文書と複数の第２の文書のうちの１つの文書の識別子と画像形成装置に送信する第１の送信手段と、を有し、画像形成装置は、複数の第２の文書を記憶する第２の記憶手段と、第１の文書と識別子とを情報処理装置から受信する第１の受信手段と、第１の受信手段により受信した第１の文書と、受信手段により受信した識別子の第２の文書と、を結合する結合手段と、を有する。【選択図】図２
2011186813.tif 000002
【特許請求の範囲】
【請求項１】
情報処理装置と画像形成装置とを有して構成される画像形成システムであって、
前記情報処理装置は、
第１の文書を記憶する第１の記憶手段と、
前記第１の文書と前記画像形成装置に記憶された複数の第２の文書のうちの１つの文書とを結合する指示の入力を受ける指示入力手段と、
前記指示入力手段により前記指示の入力を受けたときに、前記記憶手段に記憶された第１の文書と前記複数の第２の文書のうちの１つの文書の識別子と前記画像形成装置に送信する第１の送信手段と、を有し、
前記画像形成装置は、
前記複数の第２の文書を記憶する第２の記憶手段と、
前記第１の文書と前記識別子とを前記情報処理装置から受信する第１の受信手段と、
前記第１の受信手段により受信した前記第１の文書と、前記受信手段により受信した前記識別子の第２の文書と、を結合する結合手段と、を有することを特徴とする画像形成システム。
【請求項２】
情報処理装置と画像形成装置とを有して構成される画像形成システムであって、
前記情報処理装置は、
第１の文書を記憶する第１の記憶手段と、
前記第１の文書と前記画像形成装置に記憶された複数の第２の文書とを結合する指示の入力を受ける指示入力手段と、
前記指示入力手段により前記指示の入力を受けたときに、前記複数の第２の文書の情報の要求を前記画像形成装置に送信する第１の送信手段と、
前記画像形成装置から送信された前記複数の第２の文書の情報を受信する第２の受信手段と、
前記第２の受信手段により前記複数の第２の文書の情報を受信したときに、当該複数の文書の情報を一覧表示する表示手段と、
前記複数の第２の文書のうちから１つの文書を選択する入力を受ける選択入力手段と、と有し、
前記第１の送信手段は、
前記選択入力手段により前記選択の入力を受けたときに、前記記憶手段に記憶された第１の文書と前記選択された１つの文書の識別子と前記画像形成装置に送信し、
前記画像形成装置は、
前記複数の第２の文書を記憶する第２の記憶手段と、
前記要求と前記第１の文書と前記識別子とを前記情報処理装置から受信する第１の受信手段と、
前記第１の受信手段により前記要求を受信したときに、前記第２の記憶手段により記憶された前記複数の第２の文書の情報を前記情報処理装置に送信する第２の送信手段と、
前記第１の受信手段により受信した前記第１の文書と、前記受信手段により受信した前記識別子の第２の文書と、を結合する結合手段と、を有することを特徴とする画像形成システム。
【請求項３】
前記情報処理装置は、
前記第１の記憶手段に記憶された前記第１の文書のサイズと前記複数の第２の文書のサイズと比較する比較手段を有し、
前記表示手段は、前記比較手段による比較に基づき、前記複数の第２の文書のうち、前記第１の文書とサイズが同じである文書を強調して表示することを特徴とする請求項２または３に記載の画像形成システム。
【請求項４】
前記表示手段は、前記比較手段による比較に基づき、前記複数の第２の文書のうち、前記第１の文書とサイズが同じである文書のみを表示することを特徴とする請求項５に記載の画像形成システム。
【請求項５】
前記情報処理装置は、
前記選択入力手段による入力により選択された文書と前記第１の文書を結合する順番の入力を受ける順番入力手段を有し、
前記第１の送信手段は、前記順番入力手段により入力された前記順番も送信し、
前記画像形成装置の第１の受信手段は、前記順番も前記情報処理装置から受信し、
前記結合手段は、前記第１の受信手段により受信した前記順番に基づき、前記第１の受信手段により受信した前記第１の文書と、前記受信手段により受信した前記識別子の第２の文書と、を結合することを特徴とする請求項１から４のいずれか１項に記載の画像形成システム。
【発明の詳細な説明】
【技術分野】
【０００１】
本発明は、文書を結合する画像形成システムに関する。
【背景技術】
【０００２】
くるみ製本と呼ばれる製本方法がある。この製本方法は、本文の背の部分に糊つけ、表紙でくるむことにより製本を行う製本方法である。このため、通常、本文と表紙とは、別々に作成され、別々に保存される。例えば、特許文献１には、プリンタに保存された表紙と本文のそれぞれに識別子を付加し、その識別子を用いることで、表紙を本文とを関連付け、表紙と本文とを結合し、製本する方法が開示されている。
【発明の概要】
【発明が解決しようとする課題】
【０００３】
しかしながら、特許文献１に開示された方法は、表紙と本文の両方がプリンタに保存されている場合についてのものである。特許文献１に開示された方法では、表紙と本文がそれぞれ異なる機器に保存されている場合、表紙と本文を結合し製本印刷する際に、２回の操作が必要になる。例えば、プリンタ側に表紙が保存されており、ホストＰＣに本文が保存されている場合、まずホストＰＣに保存された本文をプリンタに保存する操作を行い、その後、プリンタにおいて表紙と本文を結合する操作をしなければならない。
【０００４】
そこで本発明は、上記問題点に鑑みてなされたもので、異なる機器に保存された文書を一度の操作で結合することが可能な画像形成システムを提供することを目的とする。
【課題を解決するための手段】
【０００５】
上記課題を解決するため、本発明における画像形成システムは、情報処理装置と画像形成装置とを有して構成される画像形成システムであって、前記情報処理装置は、第１の文書を記憶する第１の記憶手段と、前記第１の文書と前記画像形成装置に記憶された複数の第２の文書のうちの１つの文書とを結合する指示の入力を受ける指示入力手段と、前記指示入力手段により前記指示の入力を受けたときに、前記記憶手段に記憶された第１の文書と前記複数の第２の文書のうちの１つの文書の識別子と前記画像形成装置に送信する第１の送信手段と、を有し、前記画像形成装置は、前記複数の第２の文書を記憶する第２の記憶手段と、前記第１の文書と前記識別子とを前記情報処理装置から受信する第１の受信手段と、前記第１の受信手段により受信した前記第１の文書と、前記受信手段により受信した前記識別子の第２の文書と、を結合する結合手段と、を有することを特徴とする。
【０００６】
また、本発明における画像形成システムは、情報処理装置と画像形成装置とを有して構成される画像形成システムであって、前記情報処理装置は、第１の文書を記憶する第１の記憶手段と、前記第１の文書と前記画像形成装置に記憶された複数の第２の文書とを結合する指示の入力を受ける指示入力手段と、前記指示入力手段により前記指示の入力を受けたときに、前記複数の第２の文書の情報の要求を前記画像形成装置に送信する第１の送信手段と、前記画像形成装置から送信された前記複数の第２の文書の情報を受信する第２の受信手段と、前記第２の受信手段により前記複数の第２の文書の情報を受信したときに、当該複数の文書の情報を一覧表示する表示手段と、前記複数の第２の文書のうちから１つの文書を選択する入力を受ける選択入力手段と、と有し、前記第１の送信手段は、前記選択入力手段により前記選択の入力を受けたときに、前記記憶手段に記憶された第１の文書と前記選択された１つの文書の識別子と前記画像形成装置に送信し、前記画像形成装置は、前記複数の第２の文書を記憶する第２の記憶手段と、前記要求と前記第１の文書と前記識別子とを前記情報処理装置から受信する第１の受信手段と、前記第１の受信手段により前記要求を受信したときに、前記第２の記憶手段により記憶された前記複数の第２の文書の情報を前記情報処理装置に送信する第２の送信手段と、前記第１の受信手段により受信した前記第１の文書と、前記受信手段により受信した前記識別子の第２の文書と、を結合する結合手段と、を有することを特徴とする。
【発明の効果】
【０００７】
本発明により、異なる機器に保存された文書を一度の操作で結合することが可能になる。
【図面の簡単な説明】
【０００８】
【図１】本発明の実施形態に係る画像形成システムの構成例である。
【図２】本発明の実施形態に係る画像形成システムにおける処理動作例である。
【図３】本発明の実施形態に係る情報処理装置の表示部における表示画面例である。
【図４】本発明の実施形態に係る情報処理装置の表示部における表示画面例である。
【図５】本発明の実施形態に係る情報処理装置の表示部における表示画面例である。
【図６】本発明の実施形態に係る情報処理装置の表示部における表示画面例である。
【図７】本発明の実施形態に係る情報処理装置の表示部における表示画面例である。
【図８】本発明の実施形態に係る画像形成システムにおいて、情報処理装置から画像形成装置に送られるデータの例を示した図である。
【図９】本発明の実施形態に係る画像形成システムにおいて、情報処理装置から画像形成装置に送られるデータの例を示した図である。
【図１０】本発明の実施形態に係る画像形成システムにおいて、情報処理装置から画像形成装置に送られるデータの例を示した図である。
【発明を実施するための形態】
【０００９】
次に、発明を実施するための形態について図面を参照して詳細に説明する。
【００１０】
＜画像形成システムの構成例＞
図１は、本発明の実施形態に係る画像形成システムの構成例を示す図である。本実施形態に係る画像形成システムは、情報処理装置１００と、画像形成装置２００と、を有して構成される。
【００１１】
情報処理装置１００は、記憶部１１０と、アプリケーション１２０と、表示部１３０と、通信部１４０と、を有して構成される。記憶部１１０は、本文のデータ１１１を保存している。また、アプリケーション１２０は、ユーザからの指示や選択の入力を受け、指示等に対応した処理を行う。また、ユーザからの指示や選択の入力を受けるユーザインタフェースとしての画面を生成し、表示部１３０に出力する。表示部１３０は、アプリケーション１２０が出力した画面を表示する。通信部１４０は、情報を画像形成装置２００に送信する。また、通信部１４０は、情報を画像形成装置２００から受信する。情報処理装置１００は、例えば、ＰＣ（パーソナルコンピュータ）などである。
【００１２】
画像形成装置２００は、記憶部２１０と、通信部２２０と、印刷部２３０と、を有する。記憶部２１０は、複数の表紙のデータを保存する。例えば、図１に示すように、複数の表紙のデータ２１１〜２１３を保存している。表紙のデータは、表紙の画像データの他に、サムネイル画像と、サイズと、カラー情報などを含んでいる。また、表紙の画像データには識別子（ＩＤ）が付加されている。例えば、図１に示したデータ２１１〜２１３には、識別子として、それぞれ、ＩＤ：１〜３が付加されている。通信部２２０は、情報処理装置１００からの要求された情報を情報処理装置１００に送信する。また、通信部２２０は、情報処理装置１００から送信された情報を受信する。印刷部２３０は、通信部２２０により受信した情報処理装置１００から送信された情報に基づいて印刷データを生成し、その印刷データを印刷し、印刷されたものを製本する。つまり、印刷部２３０は、表紙と本文とを結合し、製本を行う。
【００１３】
＜画像形成システムにおける処理動作例＞
図２は、本実施形態に係る画像形成システムにおける処理動作を示す図である。この処理動作は、ユーザが情報処理装置１００により本文の印刷を指示し、情報処理装置１００に保存されたデータ１１１（本文）と画像形成装置２００に保存されたデータ２１２（表紙）とを結合する際の処理動作である。
【００１４】
情報処理装置１００は、ユーザの操作によりアプリケーション１２０を起動する（Ｓ１０１）。アプリケーション１２０が起動されたときに、例えば、図３に示すような画面を情報処理装置１００の表示部（ディスプレイ）１３０に表示するようにすると良い。
【００１５】
アプリケーション１２０は、ユーザから印刷設定の入力を受ける（Ｓ１０２）。例えば、図３に示した画面上の「プリンタ」のボタンをユーザが選択すると、アプリケーション１２０は、印刷可能な用紙サイズ、トナーの有無などの画像形成装置２００（プリンタ）の情報をネットワークより取得し、ユーザが確認できるように、例えば、図４に示すように、これらの取得した情報を表示する。そして、ユーザは、アプリケーション１２０により、どの画像形成装置２００（プリンタ）により印刷を行うか、どの用紙サイズに印刷をするか、などの設定を行う。例えば、図４に示した画面上により、ユーザはこれらの設定操作を行う。そして、ユーザは設定が終わった後、例えば、図４の「戻る」ボタンを選択することにより図３に示した画面の表示に戻れるようにすると良い。
【００１６】
アプリケーション１２０は、ユーザから表紙との結合の指示を受ける（Ｓ１０３）。つまり、ユーザから、ステップＳ１０２で選択された画像形成装置２００に保存された表紙との結合を指示する入力がある。例えば、図３に示すように、「表紙と結合」ボタンを表示するようにし、ユーザがこのボタンを選択することにより、表紙との結合の指示を行えるようにすると良い。
【００１７】
アプリケーション１２０は、ネットワークを介して、画像形成装置２００から表紙のデータの情報を取得し、その情報を表示する（Ｓ１０４）。例えば、アプリケーション１２０は、ネットワークを介して、画像形成装置２００から表紙であるデータ２１１〜２１３それぞれの識別子（ＩＤ）と、サムネイル画像と、サイズと、カラー情報と、を取得し、サムネイル画像を表示する（Ｓ１０４）。このとき、例えば、取得したサムネイル画像を、図５に示すように一覧表示し、ユーザがどの表紙と結合するか選択できるようにすると良い。このようにすることにより、多くの表紙から任意の表紙を選択することができ、多くの中から選択した任意の表紙と本文との結合印刷ができるようになる。
【００１８】
また、このとき、例えば、本文に合ったサイズの表紙をユーザが選択しやすくするために、アプリケーション１２０は、データ１１１（本文）のサイズと、ネットワークを介して画像形成装置２００から取得したデータ２１１〜２１３（表紙）のサイズとを比較し、サイズが一致したデータの情報を先頭に表示するようにするなどし、サイズが一致したデータの情報を強調するようにすると良い。または、サイズが一致したデータ（表紙）の情報のみを表示するようにしても良い。このようにすることにより、本文とサイズが一致した表紙を選択しやすくすることができ、本文と表紙のサイズの不一致を防止することができる。
【００１９】
アプリケーション１２０は、ユーザから表紙のデータの選択の入力を受ける（Ｓ１０５）。ここでは、例えば、ユーザによりデータ２１２が選択されたとする。例えば、図５に示した画面において、ユーザから表紙のデータの選択の入力がされた後は、画面が図３に示した画面に戻るようにすると良い。また、図５に示した画面において、「戻る」ボタンを選択することにより図３に示した画面の表示に戻れるようにすると良い。
【００２０】
ここで、ユーザにより本文とは異なる表紙が選択された場合に、ユーザに対して警告するようにすると良い。例えば、図６に示すような画面を表示することにより警告を行うようにすると良い。さらに、ユーザが選択した表紙の選択を解除するようにすると良い。
【００２１】
このようにすることにより、情報処理装置１００において、情報処理装置１００に保存された本文と画像形成装置２００に保存された表紙とを結合印刷する指示を出す前に、サイズの不一致が分かるようになる。このため、本文と表紙の印刷用紙サイズが一致した製本印刷を行うことが可能になる。
【００２２】
また、ここで、おもての表紙と、うらの表紙と、をそれぞれ選択できるようにすると良い。例えば、図７に示すように、表紙の一覧表示と、キー３０１とキー３０２とを表示すると良い。このように表示し、例えば、ユーザが選択された表紙をおもての表紙にしたいときは、キー３０１を選択するようにし、選択された表示をうらの表紙にしたいときは、キー３０２を選択するようにすると良い。このようにすることにより、画像形成装置２００内に保存された表紙をおもての表紙としても、うらの表紙としても使うことができるようになり、異なる機器に保存されたおもての表紙、本文、うらの表紙の結合印刷を行うことが可能になる。
【００２３】
また、画像形成装置２００に保存された文書を、情報処理装置１００に保存された文書の前に結合するのか、後ろに結合するのか、をキー３０１、キー３０２で選択し、また、画像形成装置２００に保存された文書のうちのどの文書を結合するか選択できるようにすると良い。このようにすることにより、情報処理装置１００と画像形成装置２００とに保存されたあらゆる文書の結合印刷が可能となる。
【００２４】
アプリケーション１２０は、ユーザから印刷の指示を受ける（Ｓ１０６）。例えば、図３に示した「印刷」のボタンをユーザが選択することにより印刷の指示を入力できるようにすると良い。
【００２５】
アプリケーション１２０は、データ１１１（本文）、データ２１２（表紙）の識別子（ＩＤ）、印刷設定（用紙サイズ、本文と表紙を結合する旨など）の情報を、ネットワークを介して画像形成装置２００に伝える（Ｓ１０７）。つまり、アプリケーション１２０は、本文のデータと、ユーザにより選択された表紙データの識別子と、ユーザにより設定された印刷設定の情報と、を画像形成装置２００に送信する。この画像形成装置２００に伝える情報は、例えば、図８に示すような構成をしている。また、例えば、表紙として、おもての表紙と、うらの表紙と、がそれぞれ選択されているときは、例えば、図９に示したような構成をした情報を画像形成装置２００に送信する。また、ステップＳ１０５において、画像形成装置２００に保存された文書を、情報処理装置１００に保存された文書の前に結合するのか、後ろに結合するのか、をキー３０１、キー３０２で選択したときは、図１０に示したような構成をした情報を画像形成装置２００に送信する。
【００２６】
画像形成装置２００は、送られてきた情報に含まれた識別子に基づいて、表紙のデータを取得する（Ｓ１０８）。例えば、画像形成装置２００は、送られてきた情報に含まれたデータ２１２の識別子であるＩＤ：２を参照し、データ２１２を記憶部２１０から取得する。
【００２７】
そして、この取得したデータと送られてきた情報に含まれたデータとを結合する（Ｓ１０９）。例えば、取得したデータ２１２と送られてきた情報に含まれたデータ１１１とを結合する。そして、この結合した文書を送られてきた情報に含まれた印刷設定に従い、印刷する（Ｓ１１０）。
【００２８】
このような処理動作を行うことにより、画像形成装置２００内に保存された表紙と情報処理装置１００に保存された本文とを結合印刷する操作のみで、画像形成装置２００と情報処理装置１００のように別々に保存されている本文、表紙の結合印刷を行うことが可能になる。
【００２９】
上述した実施形態における処理動作は、ハードウェア、または、ソフトウェア、あるいは、両者の複合構成によって実行することも可能である。
【００３０】
なお、ソフトウェアによる処理を実行する場合には、処理シーケンスを記録したプログラムが格納されているＲＯＭ（Read Only Memory）から、専用のハードウェアに組み込まれているコンピュータ内のメモリ（ＲＡＭ）にプログラムを読み込んで実行させるか、あるいは、各種処理が実行可能な汎用コンピュータにプログラムをインストールして実行させることが可能である。
【００３１】
例えば、プログラムは、記録媒体としてのハードディスクやＲＯＭに予め記録しておくことが可能である。あるいは、プログラムは、フロッピー（登録商標）ディスク等の磁気ディスク、ＣＤ（Compact Disc）、ＤＶＤ(Digital Versatile Disc)等の光ディスク、ＭＯ（Magneto Optical）ディスク等の光磁気ディスクなどのリムーバブル記録媒体に、一時的、あるいは、永続的に格納（記録）しておくことが可能である。
【００３２】
このようなリムーバブル記録媒体は、いわゆるパッケージソフトウェアとして提供することが可能である。
【００３３】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００３４】
また、上記実施形態で説明した処理動作に従って時系列的に実行されるのみならず、処理を実行する装置の処理能力、あるいは、必要に応じて並列的にあるいは個別に実行するように構築することも可能である。
【００３５】
また、上記実施形態で説明したシステムは、複数の装置の論理的集合構成にしたり、各装置の機能を混在させたりするように構築することも可能である。
【００３６】
以上、本発明の好適な実施の形態により本発明を説明した。ここでは特定の具体例を示して本発明を説明したが、特許請求の範囲に定義された本発明の広範囲な趣旨および範囲から逸脱することなく、これら具体例に様々な修正および変更が可能である。
【００３７】
また、本発明における画像形成システムは、前記情報処理装置は、前記第１の記憶手段に記憶された前記第１の文書のサイズと前記複数の第２の文書のサイズと比較する比較手段を有し、前記表示手段は、前記比較手段による比較に基づき、前記複数の第２の文書のうち、前記第１の文書とサイズが同じである文書を強調して表示するようにしても良い。
【００３８】
また、本発明における画像形成システムは、前記表示手段は、前記比較手段による比較に基づき、前記複数の第２の文書のうち、前記第１の文書とサイズが同じである文書のみを表示するようにしても良い。
【００３９】
また、本発明における画像形成システムは、前記情報処理装置は、前記選択入力手段による入力により選択された文書と前記第１の文書を結合する順番の入力を受ける順番入力手段を有し、前記第１の送信手段は、前記順番入力手段により入力された前記順番も送信し、前記画像形成装置の第１の受信手段は、前記順番も前記情報処理装置から受信し、前記結合手段は、前記第１の受信手段により受信した前記順番に基づき、前記第１の受信手段により受信した前記第１の文書と、前記受信手段により受信した前記識別子の第２の文書と、を結合するようにしても良い。
【符号の説明】
【００４０】
１００    情報処理装置
１１０    記憶部
１１１    データ（本文）
１２０    アプリケーション
１３０    表示部
１４０    通信部
２００    画像形成装置
２１０    記憶部
２１１、２１２、２１３    データ（表紙）
２２０    通信部
２３０    印刷部
【先行技術文献】
【特許文献】
【００４１】
【特許文献１】特開２００８−１１７２８５号公報
【図１】
2011186813.tif 000003
【図２】
2011186813.tif 000004
【図３】
2011186813.tif 000005
【図４】
2011186813.tif 000006
【図５】
2011186813.tif 000007
【図６】
2011186813.tif 000008
【図７】
2011186813.tif 000009
【図８】
2011186813.tif 000010
【図９】
2011186813.tif 000011
【図１０】
2011186813.tif 000012